(57)【要約】【課題】回動つまみを回動することにより信号レベルを変化させ、当該回動つまみを押圧することによって電源をオン・オフする電子機器において、予め定めた信号レベルの位置においてのみ電源のオン・オフを可能とする電子機器を提供する。【解決手段】本体と、スイッチおよびボリウム部と、一面に凹部を備える円筒部と、円筒部と対向する面に凹部と嵌合する凸部を有し凸部の略中央を貫通する貫通孔を備えシャフトに固定される回動つまみ部と、貫通孔に挿入し軸方向にスライドし円筒部と対向する一端に傾斜部を形成する突起を備えるスライドピンと、スライドピンを押圧する押圧手段とを備え、スライドピンは、突起が回動つまみ部の表面に当接する場合突起の他端が回動つまみ部の表面から突出し、突起が円筒部の表面に当接しない場合突起の他端が回動つまみ部の表面から突出しない長さである。【選択図】      図５
2004295748.tif 000002
【特許請求の範囲】
【請求項１】
箱形を成す本体と、前記本体の一面に固定されるパネルと、前記パネルの内側に設置され回動可能なシャフトを備え当該シャフトの回動により内部の可変抵抗器の抵抗値を変化させ当該シャフトが軸方向へ移動することにより電力の供給をオン・オフするスイッチおよびボリウム部と、前記シャフトに挿入される孔を有し表面に凹部を備える円筒部と、前記円筒部と対向する面に前記凹部と嵌合する凸部を有し当該凸部の略中央を貫通する貫通孔を備え前記シャフトに固定され回動する回動つまみ部と、前記貫通孔に挿入し軸方向にスライドし前記円筒部と対向する一端に傾斜部を形成する突起を備えるスライドピンと、前記円筒部と対向する方向へ前記スライドピンを押圧する押圧手段とを備え、
前記スライドピンは、前記突起が前記回動つまみ部の表面に当接する場合前記突起の他端が前記回動つまみ部の表面から突出し、前記突起が前記円筒部の表面に当接しない場合前記突起の他端が前記回動つまみ部の表面から突出しない長さであることを特徴とする電子機器。
【請求項２】
請求項１記載の電子機器において、
前記押圧手段は、圧縮ばねであることを特徴とする電子機器。
【発明の詳細な説明】
【０００１】
【発明の属する技術分野】
本発明は、オーディオ信号を増幅するオーディオ信号増幅装置や光ディスクを再生する再生装置等の電子機器に関する。
【０００２】
【従来の技術】
従来の電子機器として、オーディオ信号増幅装置を例に挙げ説明する。
従来のオーディオ信号増幅装置は、箱型を成し、内部に入力部、スイッチおよびボリウム部、出力部、増幅部及び電源部を備える。オーディオ信号増幅装置は、再生装置及びスピーカと接続されている。電源部は、入力部、スイッチおよびボリウム部、出力部及び増幅部へ電力を供給する。
【０００３】
再生装置は、光ディスクに記録されているオーディオデータを再生し、オーディオ信号を出力する。入力部は、再生装置から出力されたオーディオ信号を入力し、増幅部へ出力する。増幅部は、入力部から出力されたオーディオ信号を増幅し、スイッチおよびボリウム部へ出力する。
【０００４】
スイッチおよびボリウム部は、後述する回動つまみ部を回動することにより、増幅部から出力されたオーディオ信号の信号レベルを増減させ、出力部へ出力する。出力部は、オーディオ信号をスピーカへ出力する（例えば、特許文献１参照。）。
【０００５】
スイッチおよびボリウム部は、後述する回動つまみ部を押圧することにより、オーディオ信号増幅装置内部の入力部、出力部及び増幅部への電源部からの電力の供給をオン・オフする。
【０００６】
以上の構成により、オーディオ信号増幅装置は、再生装置から出力されたオーディオ信号を増幅し、スピーカへ出力する。
【０００７】
図７は、従来のオーディオ信号増幅装置の回動つまみとスイッチおよびボリウム部との組み付けを示す図で、図７（ａ）は正面図、図７（ｂ）は断面図である。パネル５は図示しないオーディオ信号増幅装置本体の前面に固定されている。
【０００８】
スイッチおよびボリウム部４は、パネル５の裏面に固定されている。スイッチおよびボリウム部４は、断面がＤ型の回動可能なシャフト４０１を備える。シャフト４０１は、パネル５に設けた孔５０１からパネル５の表面に突出している。
【０００９】
スイッチおよびボリウム部４は、シャフト４０１の回動によりスイッチおよびボリウム部４の可変抵抗器の抵抗値が変化し、増幅部から出力されるオーディオ信号の信号レベルを増減する。
【００１０】
スイッチおよびボリウム部４のシャフト４０１は、図７（ｂ）に示す矢印Ａ方向へ押圧されることによって矢印Ａ方向へ移動し、押圧が解除されると押圧前の位置へ移動する。スイッチおよびボリウム部４は、シャフト４０１が押圧され矢印Ａ方向に移動したことを検知し、オン・オフ指示信号を出力する。電源部は、スイッチおよびボリウム部４から信号が出力される毎に、入力部、出力部及び増幅部への電力の供給をオン・オフする。
【００１１】
回動つまみ部３００は、円筒形を成し、略中心に貫通しない断面がＤ型のシャフト圧入孔３０１を備える。回動つまみ部３００のシャフト圧入孔３０１の内径ｄ３０１は、スイッチおよびボリウム部４のシャフト４０１の外径ｄ４０１よりも小さい。
【００１２】
回動つまみ部３００のシャフト圧入孔３０１へスイッチおよびボリウム部４のシャフト４０１を圧入することにより、回動つまみ部３００はシャフト４０１に固定される。したがって、回動つまみ部３００を回動することによりシャフト４０１が回動し、増幅部から出力されたオーディオ信号の信号レベルが増減する。
【００１３】
以上のように、従来のオーディオ信号増幅装置は、回動つまみ部３００を回動することにより増幅部から出力されたオーディオ信号の信号レベルを増減し、回動つまみ部３００を後方へ押圧することによって入力部、出力部及び増幅部への電力の供給をオン・オフすることができる。
【００１４】
【特許文献１】
特開平１０−１４９７４６号公報
【００１５】
【発明が解決しようとする課題】
従来のオーディオ信号増幅装置は、電源がオフの状態のときに、誤って回動つまみ３００を回動してしまうことがある。例えば、増幅部から出力させるオーディオ信号の増幅レベルが最大となる角度に回動つまみ３００を回転させた状態で、回動つまみ３００を押圧し、電源部１１の電源の供給をオンにしてしまうと、オーディオ信号が最大の信号レベルで出力部から出力されてしまい、スピーカを破損する虞がある。
【００１６】
本発明は、回動つまみを回動することにより信号レベルを変化させ、当該回動つまみを押圧することによって電源をオン・オフする電子機器において、スピーカを破損する虞のない予め定めた信号レベルの位置においてのみ電源のオン・オフを可能とする電子機器を提供することを目的とする。
【００１７】
【課題を解決するための手段】
本願の請求項１記載の発明は、電子機器において、箱形を成す本体と、前記本体の一面に固定されるパネルと、前記パネルの内側に設置され回動可能なシャフトを備え当該シャフトの回動により内部の可変抵抗器の抵抗値を変化させ当該シャフトが軸方向へ移動することにより電力の供給をオン・オフするスイッチおよびボリウム部と、前記シャフトに挿入される孔を有し表面に凹部を備える円筒部と、前記円筒部と対向する面に前記凹部と嵌合する凸部を有し当該凸部の略中央を貫通する貫通孔を備え前記シャフトに固定され回動する回動つまみ部と、前記貫通孔に挿入し軸方向にスライドし前記円筒部と対向する一端に傾斜部を形成する突起を備えるスライドピンと、前記円筒部と対向する方向へ前記スライドピンを押圧する押圧手段とを備え、前記スライドピンは、前記突起が前記回動つまみ部の表面に当接する場合前記突起の他端が前記回動つまみ部の表面から突出し、前記突起が前記円筒部の表面に当接しない場合前記突起の他端が前記回動つまみ部の表面から突出しない長さであることを特徴とする。
【００１８】
また、本願の請求項２記載の発明は、請求項１記載の電子機器において、前記押圧手段は、圧縮ばねであることを特徴とする。
【００１９】
【発明の実施の形態】
本発明の実施の形態を図面を参照して説明する。なお、従来技術で示した構成要素と同一の部分については同符号を用いる。
【００２０】
図１は、本発明の電子機器の一実施例の構成を示すブロック図である。
本実施例においては、電子機器としてオーディオ信号増幅装置を例に挙げ説明する。
【００２１】
オーディオ信号増幅装置６は、入力部２、スイッチおよびボリウム部４、出力部７、増幅部８及び電源部１１を備える。オーディオ信号増幅装置６は、再生装置１０及びスピーカ９と接続されている。電源部１１は、入力部２、スイッチおよびボリウム部４、出力部７及び増幅部８へ電力を供給する。
【００２２】
再生装置１０は、光ディスクに記録されているオーディオデータを再生し、オーディオ信号を出力する。入力部２は、再生装置１０から出力されたオーディオ信号を入力し、増幅部８へ出力する。増幅部８は、入力部２から出力されたオーディオ信号を増幅し、スイッチおよびボリウム部４へ出力する。
【００２３】
スイッチおよびボリウム部４は、後述する回動つまみ部を回動することにより、増幅部８から出力されたオーディオ信号の信号レベルを増減させ、出力部７へ出力する。出力部７は、オーディオ信号をスピーカ９へ出力する。
【００２４】
スイッチおよびボリウム部４は、後述する回動つまみ部が押圧されることにより、電源部１１へオン・オフ指示信号を出力する。電源部１１は、スイッチおよびボリウム部４からオン・オフ指示信号が出力される毎に、入力部２、出力部７及び増幅部８への電力の供給をオン・オフする。
【００２５】
以上の構成により、オーディオ信号増幅装置６は、再生装置１０から出力されたオーディオ信号を増幅し、スピーカ９へ出力する。
【００２６】
図２は、本発明の一実施例のオーディオ信号増幅装置の概略構成を示す斜視図である。
オーディオ信号増幅装置６は、回動つまみ部３、パネル５、円筒部１２、本体６０１、図示しないスライドピン、円盤部及び圧縮ばねを備える。パネル５は、オーディオ信号増幅装置６の本体６０１の前面に固定されている。スイッチおよびボリウム部４は、パネル５の裏面に固定されている。
【００２７】
スイッチおよびボリウム部４は、断面がＤ型の回動可能なシャフト４０１を備える。シャフト４０１は、パネル５に設けた孔５０１からパネル５の表面に突出している。
【００２８】
スイッチおよびボリウム部４は、シャフト４０１の回動によりスイッチおよびボリウム部４の可変抵抗器の抵抗値が変化し、増幅部８から出力されるオーディオ信号の信号レベルを増減する。
【００２９】
スイッチおよびボリウム部４のシャフト４０１は、押圧されることによって軸方向へ移動し、押圧が解除されると押圧前の位置へ移動する。スイッチおよびボリウム部４は、シャフト４０１が押圧され軸方向に移動したことを検知し、オン・オフ指示信号を出力する。
【００３０】
円筒部１２は、円筒型を成し、略中心に貫通する孔１２１を備える。円筒部１２は、スイッチおよびボリウム部４のシャフト４０１が孔１２１へ挿入され、スイッチおよびボリウム部４に固定される。
【００３１】
回動つまみ部３は、円筒型を成し、略中心に貫通しないシャフト圧入孔３０１を備える。回動つまみ部３は、スイッチおよびボリウム部４のシャフト４０１がシャフト圧入孔３０１へ圧入されることにより、シャフト４０１に固定される。
【００３２】
回動つまみ部３を回動することにより、シャフト４０１へ回動力が伝達され、シャフト４０１は回動し、スイッチおよびボリウム部４の抵抗値が変化する。また、回動つまみ部３をシャフト４０１の軸方向へ押圧することにより、シャフト４０１が軸方向へ移動し、入力部２、出力部７及び増幅部８への電力の供給をオン・オフする。
【００３３】
図３は、本発明の一実施例のオーディオ信号増幅装置の回動つまみ部の構成を示す図であり、図３（ａ）は回動つまみ部の背面図、図３（ｂ）は図３（ａ）のＢ−Ｂ断面図である。
【００３４】
回動つまみ部３は、後方に突出し円筒形を成す凸部３０５を備える。凸部３０５の略中央には、円筒形を成す凹部３０４を備え、当該凹部３０４の略中央には、回動つまみ部３の前面に貫通する貫通孔３０３を備える。
【００３５】
スライドピン１は、略円筒形を形成する。スライドピン１の外径は、貫通孔３０３の内径より小さい。スライドピン１は、回動つまみ部３の貫通孔３０３に挿入し、貫通孔３０３の軸方向へ自在にスライドする。スライドピン１は、後端に突出する凸部１０１を備え、凸部１０１の背面には、突起１０２を備える。突起１０２は、外周が円錐形の傾斜を成す傾斜部１０３を備える。凸部１０１の外径は、回動つまみ部３の凹部３０４の内径より小さい。スライドピン１の凸部１０１の前面から突起１０２の先端までの距離は凹部３０４の奥行きより小さい。
圧縮ばね１４は、凹部３０４の内部に設置され、凸部１０１を矢印Ａ方向へ押圧する。スライドピン１は、凸部１０１が圧縮ばね１４によって押圧されることにより、矢印Ａ方向へ押圧される。
【００３６】
円盤部１３は、凸部３０５の外径と略同一の外径を有する円盤形を成し、凸部３０５の背面に固定される。円盤部１３は、スライドピン１の凸部１０１の外径より小さい内径である孔１３１を備え、スライドピン１が圧縮ばね１４の押圧力により矢印Ａ方向へ飛び出さないよう凸部１０１を保持する。スライドピン１の突起１０２は、円盤部１３の孔１３１から矢印Ａ方向へ突出している。
【００３７】
スライドピン１は、凸部１０１が圧縮ばね１４により、矢印Ａ方向へ押圧され孔１３１から突出した状態の場合、前端が回動つまみ部３の前面と略同一となる長さとする。
【００３８】
図４は、本発明の一実施例のオーディオ信号増幅装置の円筒部の構成を示す図であり、図４（ａ）は正面図、図４（ｂ）は図４（ａ）のＣ−Ｃ断面図である。
円筒部１２は、略円筒型を形成し、略中心に貫通する孔１２１を備える。孔１２１の内径は、シャフト４０１の外径よりも大きい。円筒部１２は、前面に凹部１２２を備える。
【００３９】
図５は、本発明の一実施例の回動つまみ部、スイッチおよびボリウム部並びに円筒部との組み付けを示す模式図で、図５（ａ）は正面図、図５（ｂ）は図５（ａ）のＤ−Ｄ断面図、図５（ｃ）は図５（ａ）及び図５（ｂ）の状態のときに回動つまみ部３を矢印Ａ方向へ押圧した状態を示す図である。
【００４０】
回動つまみ部３の凸部３０５及び円盤部１３は、スイッチおよびボリウム部４のシャフト４０１を中心に円筒部１２の凹部１２２と同心円上となる位置に配置されている。凸部３０５及び円盤部１３の外径は、凹部１２２の側壁間の長さよりも小さい。円筒部１２は、前面が回動つまみ部３の円盤部１３の背面と近接する位置となるようにスイッチおよびボリウム部４に固定されている。
【００４１】
回動つまみ部３は、シャフト４０１を中心に回動し、回動つまみ部３が回動することにより、シャフト４０１は回動し、スイッチおよびボリウム部４の抵抗値が変化する。図５（ａ）及び図５（ｂ）に示すように、回動つまみ部３の凸部３０５が円筒部１２の凹部１２２と対向する位置のとき、使用者は、回動つまみ部３の前面からスライドピン１が突出していないことを認識することができる。
【００４２】
このとき、図５（ｃ）に示すように、回動つまみ部３を矢印Ａ方向へ押圧すると、凸部３０５及び円盤部１３が円筒部１２の凹部１２２に嵌合し、回動つまみ部３は矢印Ａ方向へ移動し、回動つまみ部３と同様にシャフト４０１も矢印Ａ方向へ移動する。
【００４３】
図６は、図５に示す状態から回動つまみ部を回動し、凸部が円筒部の凹部と対向しない位置とした状態を示す図で、図６（ａ）は正面図、図６（ｂ）は図６（ａ）のＤ−Ｄ断面図である。
【００４４】
回動つまみ部３の凸部３０５及び円盤部１３が円筒部１２の凹部１２２と対向した位置から回動つまみ部３を回動すると、孔１３１から後方へ突出したスライドピン１の傾斜部１０３が凹部１２２の側壁の前端と当接する。この状態から更に回動つまみ部３を回動すると、スライドピン１の傾斜部１０３が円筒部１２の凹部１２２の側壁の前端を摺動し、図６（ｂ）に示すように、スライドピン１は、円筒部１２の前面と当接する位置まで矢印Ｅ方向へスライドする。このとき、スライドピン１の前端は、回動つまみ部３の前面から突出する。
【００４５】
図６（ａ）及び図６（ｂ）に示すように、回動つまみ部３の凸部３０５が円筒部１２の凹部１２２と対向しない位置のとき、使用者は、回動つまみ部３の前面からスライドピン１が突出していることを認識することができる。また、このとき、回動つまみ部３を矢印Ａ方向へ押圧すると、円盤部１３が円筒部１２の前面に当接する。よって、回動つまみ部３を矢印Ａ方向へ押圧しても、シャフト４０１は矢印Ａ方向へ移動しない。
【００４６】
以上の構成により、本実施例のオーディオ信号増幅装置６の回動つまみ部３を回動させ、凸部３０５が円筒部１２の凹部１２２と対向する位置以外の位置にあるときは、使用者は回動つまみ部３の前面からスライドピン１の前端が突出することを視認することができ、このとき、回動つまみ部３を押圧してもシャフト４０１は軸方向へ移動しないので、入力部２、出力部７及び増幅部８への電力の供給がオンされることを防止することができる。回動つまみ部３の凸部３０５が円筒部１２の凹部１２２と対向した位置にあるとき、使用者は回動つまみ部３の前面からスライドピン１の前端が突出しないことを視認することができる。したがって、使用者は、回動つまみ部３の前面からスライドピン１の前端が突出しないときだけ回動つまみ部３を軸方向へ押圧することによって、入力部２、出力部７及び増幅部８への電源部１１からの電力の供給を、オン・オフすることが可能となる。
【００４７】
例えば、回動つまみ部３を回動させて回動つまみ部３の凸部３０５が円筒部１２の凹部１２２と対向する位置が、スイッチおよびボリウム部４の最大抵抗値となるように予め設定しておく。これにより、本実施例のオーディオ信号増幅装置６は、回動つまみ部３を回動させて、増幅部８から出力されたオーディオ信号の信号レベルが最小の信号レベルとなったときのみ電源部１１からの電力の供給を可能とし、回動つまみ部３の位置が前述した以外の位置のときは回動つまみ部３を押圧しても電源部１１からの電力の供給を禁止することができる。
【００４８】
本実施例のオーディオ信号増幅装置６は、回動つまみ部３の凸部３０５が円筒部１２の凹部１２２と対向する位置以外であって、回動つまみ部３を押圧してもシャフト４０１が軸方向へ移動しないときは、回動つまみ部３の前面からスライドピン１の先端が突出していることを視認できることにより、使用者に回動つまみ部３を押圧しても電源のオン・オフが行えないことを認識させることができる。また、オーディオ信号増幅装置６は、回動つまみ部３の凸部３０５が円筒部１２の凹部１２２と対向する位置であって、回動つまみ部３を押圧することによりシャフト４０１が軸方向へ移動可能であるときは、回動つまみ部３の前面からスライドピン１の先端が突出していることを視認できることにより、使用者に回動つまみ部３を押圧することによって電源のオン・オフが行えることを認識させることができる。
【００４９】
この構成により、回動つまみ部３を押圧しても、シャフト４０１が軸方向に移動しないにも拘わらず、回動つまみ部３を押圧する押圧力が足りないのだと誤認識し、無理に高い押圧力で回動つまみ部３を押圧してしまい、回動つまみ部３を破壊してしまうことを防止することができる。
【００５０】
使用者は、回動つまみ部３を目視しなくても回動つまみ部３の前面からスライドピン１が突出しているか否かを指先で認識することができるので、例えば、オーディオ信号増幅装置６を暗闇で使用する場合や、他の装置の表示を見ながら回動つまみ部３を回動させる場合でも、電源のオン・オフが行えることを正確に認識することができる。
【００５１】
本実施例のオーディオ信号増幅装置６は、スライドピン１を後方へ押圧するのに圧縮ばね１４を用いたが、弾力を有するゴム材、樹脂材等の弾性体を用いても良い。このことにより、オーディオ信号増幅装置６の生産費用を低減することができる。
【００５２】
【発明の効果】
本発明によれば、回動つまみを回動することにより信号レベルを変化させ、当該回動つまみを押圧することによって電源をオン・オフする電子機器において、スピーカを破損する虞のない予め定めた信号レベルの位置においてのみ電源のオン・オフを可能とする電子機器を提供することができる。
また、周囲が暗闇の場合でも回動つまみ部を押圧することで電源のオン・オフが可能か否かを、正確に認識させることができる。
【図面の簡単な説明】
【図１】本発明の電子機器の一実施例の構成を示すブロック図。
【図２】本発明の一実施例のオーディオ信号増幅装置の概略構成を示す斜視図。
【図３】本発明の一実施例のオーディオ信号増幅装置の回動つまみ部の構成を示す図であり、図３（ａ）は回動つまみ部の背面図、図３（ｂ）は図３（ａ）のＢ−Ｂ断面図。
【図４】本発明の一実施例のオーディオ信号増幅装置の円筒部の構成を示す図であり、図４（ａ）は正面図、図４（ｂ）は図４（ａ）のＣ−Ｃ断面図。
【図５】本発明の一実施例の回動つまみ部、スイッチおよびボリウム部並びに円筒部との組み付けを示す模式図で、図５（ａ）は正面図、図５（ｂ）は図５（ａ）のＤ−Ｄ断面図、図５（ｃ）は図５（ａ）及び図５（ｂ）の状態のときに回動つまみ部３を矢印Ａ方向へ押圧した状態を示す図。
【図６】図５に示す状態から回動つまみ部を回動し、凸部が円筒部の凹部と対向する位置とした状態を示す図で、図６（ａ）は正面図、図６（ｂ）は図６（ａ）のＤ−Ｄ断面図。
【図７】従来のオーディオ信号増幅装置の回動つまみとスイッチおよびボリウム部との組み付けを示す図で、図７（ａ）は正面図、図７（ｂ）は断面図。
【符号の説明】
１  スライドピン、１０１  凸部、１０２  突起、１０３  傾斜部、
２  入力部、３  回動つまみ部、３０１  シャフト圧入孔、３０３  貫通孔、
３０４  凹部、３０５  凸部、
４  スイッチおよびボリウム部、４０１  シャフト、
５  パネル、５０１  孔、６  オーディオ信号増幅装置、６０１  本体、
７  出力部、８  増幅部、９  スピーカ、１０  再生装置、１１  電源部、
１２  円筒部、１２１  孔、１２２  凹部、３００  回動つまみ部
【図１】
2004295748.tif 000003
【図２】
2004295748.tif 000004
【図３】
2004295748.tif 000005
【図４】
2004295748.tif 000006
【図５】
2004295748.tif 000007
【図６】
2004295748.tif 000008
【図７】
2004295748.tif 000009